(57)【要約】【課題】扉開放時の保存室内への外気流入を軽減可能なワインセラーを提供すること。【解決手段】本考案のワインセラーは、コンプレッサー３１を使用した冷却方式を採用し、ファン２６を用いて保存室内の空気を循環させることにより保存室内の温度調整を行うこととし、制御回路１１が、ドアスイッチ２３のＯＦＦ状態を検出した時点においてファン２６が動作中の場合にファン２６を停止させ、その後、ドアスイッチ２３のＯＦＦ状態を検出した時点から予め規定された待ち時間が経過し、かつ冷却サイクル動作中の場合に、さらにコンプレッサー３１を停止させる。【選択図】図３−１
0003211237.tif 000002
【実用新案登録請求の範囲】
【請求項１】
コンプレッサーを使用した冷却方式を採用し、ファンを用いて保存室内の空気を循環させることにより当該保存室内の温度調整を行うワインセラーにおいて、
扉が閉まっているときにＯＮ状態を示し、扉が開いているときにＯＦＦ状態を示すスイッチ部と、
前記スイッチ部のＯＦＦ状態を検出した時点において前記ファンが動作中の場合に当該ファンを停止させ、その後、前記スイッチ部のＯＦＦ状態を検出した時点から予め規定された待ち時間が経過し、かつ冷却サイクル動作中の場合に、前記コンプレッサーを停止させる制御部と、
を備えることを特徴とするワインセラー。
【請求項２】
前記制御部は、
前記スイッチ部のＯＦＦ状態を検出した時点から前記待ち時間が経過する前に前記スイッチ部のＯＮ状態を検出した場合に、停止させたファンを再起動させる、
ことを特徴とする請求項１に記載のワインセラー。
【請求項３】
前記制御部は、
前記コンプレッサー停止後、前記スイッチ部のＯＮ状態を検出しかつ前記コンプレッサー停止時点から予め規定された所定時間が経過している場合に、前記コンプレッサーおよび前記ファンを再起動させ、
一方で、前記コンプレッサー停止後、前記スイッチ部のＯＮ状態を検出しかつ前記コンプレッサー停止時点から前記所定時間以内の場合には、まず前記ファンを再起動させ、前記所定時間経過後に前記コンプレッサーを再起動させる、
ことを特徴とする請求項１または２に記載のワインセラー。
【請求項４】
前記スイッチ部を、本体と扉の間に挟まれる位置に設置された押しボタンスイッチとする、
ことを特徴とする請求項１、２または３に記載のワインセラー。
【請求項５】
前記スイッチ部を、扉が閉じられたときに接触するように本体側と扉側のそれぞれに取り付けられたマグネット式スイッチとする、
ことを特徴とする請求項１、２または３に記載のワインセラー。
【考案の詳細な説明】
【技術分野】
【０００１】
本考案は、コンプレッサーを使用した冷却方式を採用するワインセラーに関する。
【背景技術】
【０００２】
従来から下記特許文献１に記載されているような冷蔵庫が知られている。特許文献１によれば、この冷蔵庫は、ドアスイッチのＯＮ／ＯＦＦにより扉の開閉を検知することができ、たとえば、扉が開いた状態で一定時間が経過した場合に、警報音やＬＥＤ点灯により扉が開けっ放しであることを使用者に警告するものである。すなわち、使用者に扉の開けっ放しを気づかせ、扉を閉めさせることにより、庫内の温度上昇を抑制するものである。
【先行技術文献】
【特許文献】
【０００３】
【特許文献１】特開２０１３−３６６６０号公報
【考案の概要】
【考案が解決しようとする課題】
【０００４】
しかしながら、上記特許文献１に記載された冷蔵庫においては、たとえば、扉が開いている状態のとき、すなわち、使用者が扉を閉めるまでの期間については、外気が流入し、庫内の温度が急激に上昇することになる、という問題があった。
【０００５】
また、ワインセラーにおいては、一般的に、ワインの貯蔵に適した湿度（高湿度）を維持可能な構造となっていることが多く、そのため、冷却器にはある程度の霜が付着することを想定しているが、低温制御中の扉開放時には、過度な水分を含む外気の流入により保存室内の温度上昇とともに湿度も上昇し、その結果として、冷却器に付着する霜が増殖することになる、という問題があった。
【０００６】
本考案は、上記に鑑みてなされたものであって、扉開放時の保存室内への外気流入を軽減可能なワインセラーを提供することを目的とする。
【課題を解決するための手段】
【０００７】
上述した課題を解決し、目的を達成するために、本考案は、コンプレッサーを使用した冷却方式を採用し、ファンを用いて保存室内の空気を循環させることにより当該保存室内の温度調整を行うワインセラーにおいて、扉が閉まっているときにＯＮ状態を示し、扉が開いているときにＯＦＦ状態を示すスイッチ部と、前記スイッチ部のＯＦＦ状態を検出した時点において前記ファンが動作中の場合に当該ファンを停止させ、その後、前記スイッチ部のＯＦＦ状態を検出した時点から予め規定された待ち時間が経過し、かつ冷却サイクル動作中の場合に、前記コンプレッサーを停止させる制御部と、を備えることを特徴とする。
【考案の効果】
【０００８】
本考案にかかるワインセラーは、扉開放時の保存室内への外気流入を軽減することができる、という効果を奏する。
【図面の簡単な説明】
【０００９】
【図１−１】図１−１は、ワインセラーの正面図およびその断面図である。
【図１−２】図１−２は、ワインセラーの側面図およびその断面図である。
【図２−１】図２−１は、ワインセラーの正面図およびその断面図である。
【図２−２】図２−２は、ワインセラーの側面図およびその断面図である。
【図３−１】図３−１は、ワインセラーの電気系統図の一例を示す図である。
【図３−２】図３−２は、ワインセラーの電気系統図の一例を示す図である。
【図４−１】図４−１は、ワインセラーの冷却サイクルの一例を示す図である。
【図４−２】図４−２は、ワインセラーの冷却サイクルの一例を示す図である。
【図５】図５は、ドアスイッチの取り付け位置の一例を示す図である。
【図６】図６は、扉開放時の保存室内の温度変化の一例を示す図である。
【考案を実施するための形態】
【００１０】
以下に、本考案にかかるワインセラーの実施例を図面に基づいて詳細に説明する。なお、この実施例によりこの考案が限定されるものではない。
【実施例】
【００１１】
＜全体構成＞
図１はワインセラーの構造の一例を示す図であり、詳細には、図１−１は、本実施例のワインセラーの正面図およびその断面図であり、図１−２は、本実施例のワインセラーの側面図およびその断面図である。
【００１２】
図１−１および図１−２において、１はワインセラー（本体）であり、このワインセラー１には、上下個別に温度管理が可能な上保存室２ａと下保存室２ｂが設けられている。各保存室は固定の中仕切りプレート３により独立し、たとえば、それぞれ０℃〜２０℃の範囲内で１℃単位の温度設定が可能である。上下２室の構成とすることにより、より高精度な温度管理が可能となり、たとえば、一方を短期保存用（７〜８℃程度）、もう一方を長期保存用（１４℃程度）、等のように、目的に応じて上下２室を使い分けることが可能となる。
【００１３】
また、ワインセラー１には、たとえば、断熱性とインテリア性に優れた３層構造のフルフラットガラスが全面に採用されたガラス扉４が取り付けられている。また、ガラス扉４の上部部分には、タッチ式の操作パネル５が配置され、主電源やライト（各保存室のＬＥＤ照明）のＯＮ／ＯＦＦ，保存室内の温度調整等の操作ができ、マニュアル操作で保存室内の環境を最適な状態に保つことが可能である。
【００１４】
また、図１−２に示すように、下保存室２ｂの奥には、保存室内に階段状の段差が得られるように収納庫６が設けられており、この収納庫６には、後述する冷却サイクルにおいて使用されるコンプレッサーやキャピラリーチューブ等の機器が収納されている。また、各保存室を仕切る棚板７は、スライドすることにより自由に取り外しおよび取り付けが可能な構成である。また、各保存室の奥には、奥パネル９により各保存室と仕切られた空間である収納庫８が設けられており、この収納庫８には、たとえば、後述する冷却サイクルにおいて使用されるアキュムレータや冷却器等が収納され、さらに、加温ヒーター，ＬＥＤ等の照明，空気循環用のファンおよび霜取り温度センサー等も収納されている。
【００１５】
なお、上記では、上下２段構成のワインセラー１について記載したが、本実施例のワインセラーは、これに限らず、たとえば、図２（図２−１，図２−２）に示すような保存室が１つのタイプのワインセラーであってもよく、また、図示はしていないが３つ以上の保存室を有するものであってもよい。図２はワインセラーの構造の一例を示す図であり、詳細には、図２−１は、保存室が１つのタイプのワインセラーの正面図およびその断面図であり、図２−２は、保存室が１つのタイプのワインセラーの側面図およびその断面図である。保存室が１つのタイプのワインセラー１は、上下２段構成のワインセラーから上保存室２ａの機能を除いたものであり、下保存室２ｂの機能を備えた保存室２のみで構成されたものとなる。また、図１に示す下保存室２ｂおよび図２に示す保存室２には、一例として、収納庫６の段差を利用して、１番下の棚にワインボトル３本を斜めに配置しているが、これに限らず、この１番下の棚をさらに棚板７により分割し、本体正面からワインボトルの側面が見えるように、ワインボトルを寝かせて置くこととしてもよい。
【００１６】
＜詳細構成＞
つづいて、ワインセラー１の構成をより詳細に説明する。以下では、一例として、図２に示す保存室が１つのタイプのワインセラー１を用いてその構成および動作を詳細に記載する。なお。本実施例のワインセラーは、これに限らず、たとえば、図１に示すワインセラー１等、保存室単位に個別に温度調整が可能なすべてのワインセラーに適用可能である。
【００１７】
まず、上記図２のように構成されるワインセラー１の電気回路構成およびその制御について説明する。図３−１は、ワインセラー１の電気系統図の一例を示す図である。
【００１８】
図３−１に示すとおり、ワインセラー１においては、制御回路１１が、ＡＣ１００Ｖを入力とし、ワインセラー１内の電子機器を制御する。詳細には、制御回路１１は、操作パネル５，ＬＥＤ２１，室内温度センサー２２，ドアスイッチ２３，霜取り温度センサー２４，加温ヒーター２５，ファン２６，コンプレッサー３１と接続し、ワインを最適な環境で管理するための制御を行う。なお、図１に示すような保存室が２つのタイプのワインセラー１の電気系統図を、一例として、図３−２に示す。このワインセラー１は、制御回路１１が、ＡＣ１００Ｖを入力とし、上保存室２ａ用および下保存室２ｂ用にそれぞれ設けられたＬＥＤ２１ａ，２１ｂ、室内温度センサー２２ａ，２２ｂ、霜取り温度センサー２４ａ，２４ｂ、加温ヒーター２５ａ，２５ｂ、ファン２６ａ，２６ｂ、および各保存室に共通のドアスイッチ２３、と接続する。また、制御回路１１は、上保存室２ａの冷却サイクルを制御する場合には電磁弁３２を上保存室２ａ側に接続してコンプレッサー３１を起動し、下保存室２ｂの冷却サイクルを制御する場合には電磁弁３２を下保存室２ｂ側に接続してコンプレッサー３１を起動する。
【００１９】
上記各種電子機器を制御する本実施例の制御回路１１は、たとえば、ＣＰＵ（Central  Processing  Unit）およびＦＰＧＡ（Field  Programmable  Gate  Array）等で構成される制御部、ＲＯＭ（Read  Only  Memory），ＲＡＭ（Random  Access  Memory）等の各種メモリ、および図示の各種電子機器と信号の送受信を行うインタフェース部、等から構成されている。
【００２０】
また、図３−１において、ＬＥＤ２１は、保存室２用の照明であり、操作パネル５のＯＮ／ＯＦＦ操作に連動して、制御回路１１によりＯＮ／ＯＦＦが制御される。
【００２１】
室内温度センサー２２は、たとえば、保存室２内の所定位置に設置され、周辺温度を検知して制御回路１１に通知する。この通知を受けた制御回路１１は、操作パネル５の操作により設定された温度（上記０℃〜２０℃に相当）と室内温度センサー２２から通知された温度とを比較し、設定温度が保持されるように冷却および加温に関する制御を行う。
【００２２】
ドアスイッチ２３は、たとえば、ワインセラー１本体とガラス扉４の間に挟まれる位置に配置され、ガラス扉４が閉まっている状態のときにＯＮ状態となり、開いている状態のときにＯＦＦ状態となる。制御回路１１は、ドアスイッチ２３の状態を確認し、扉開放時の保存室２内への外気流入を軽減するための制御を行う。
【００２３】
霜取り温度センサー２４は、たとえば、保存室２用の冷却器近傍に配置され、たとえば、制御回路１１の制御により定期的に霜取り制御動作を開始（コンプレッサー３１ＯＦＦ）し、その後、霜取り制御動作を終了（コンプレッサー３１ＯＮ）する場合において、冷却器（エバレーター）の周辺温度を測定する。そして、その測定結果を制御回路１１がチェックする。制御回路１１は、その測定結果に基づいて加温ヒーター２５のＯＮ／ＯＦＦ制御を行うことにより、上記霜取り制御動作において冷却器に付着した霜を溶かすことができる。
【００２４】
加温ヒーター２５は、たとえば、冷却器に一体化して設置され、制御回路１１の制御により、霜取り制御動作時（コンプレッサー３１ＯＦＦ時）および通常動作時（コンプレッサー３１ＯＮ時）において、周辺温度を上昇させる機能を有する。また、ファン２６は、たとえば、保存室２の上部に設置され、制御回路１１の制御により、保存室２内の空気を循環させる。たとえば、加温ヒーター２５とファン２６が連動し、加温ヒーター２５により暖められた空気を循環させることにより、保存室２内の温度を設定温度まで上昇させることができる。
【００２５】
また、図３−１において、制御回路１１は、コンプレッサー３１のＯＮ／ＯＦＦ制御を行い、ワインセラー１の冷却サイクルを制御する。図４−１は、ワインセラー１の冷却サイクルの一例を示す図である。
【００２６】
コンプレッサー（圧縮器）３１は、気体冷媒を圧縮して高温高圧のガス冷媒を生成し出力する。コンプレッサー３１から送られてきた高温高圧のガス冷媒は、コンデンサー（凝縮器）３３で放熱しながら、常温高圧の液体冷媒に変化し、さらに、常温高圧の液体冷媒は、アキュムレータ３４にて水分等の異物が取り除かれる。さらに、アキュムレータ３４にて水分等の異物が取り除かれた液体冷媒は、管径の細いキャピラリーチューブ３５を通過することによって、蒸発（気化）しやすいように圧力が下げられる。その後、低温低圧となった液体冷媒は、冷却器３６に送られ、ここで、周辺の空気から熱を奪って蒸発（気化）し、最終的に、冷却器３６において気体となった冷媒がコンプレッサー３１に戻る。このようなサイクルが繰り返し実行されることによって、冷却器３６の周囲が冷却される。
【００２７】
そして、上記冷却サイクルにおいて使用される機器とファン２６が連動して、冷却器３６により冷やされた空気を循環させることにより、すなわち、その冷気が保存室２内に送り込まれることによって、保存室２内の温度を設定温度まで下げることができる。
【００２８】
なお、図４−２は、保存室が２つのタイプのワインセラー１の冷却サイクルの一例を示す図である。このタイプのワインセラー１は、２つの冷却器３６ａ，３６ｂを上下２つの保存室に１つずつ割り当て、制御回路１１が、電磁弁３２を、交互に切り替えながら、または、上下同時に冷却できるように、制御することにより、上保存室２ａの冷却サイクル（たとえば、コンプレッサー３１，コンデンサー３３，アキュムレータ３４，キャピラリーチューブ３５ａ，冷却器３６ａからなる冷却サイクル）および下保存室２ｂの冷却サイクル（たとえば、コンプレッサー３１，コンデンサー３３，アキュムレータ３４，キャピラリーチューブ３５ｂ，冷却器３６ｂからなる冷却サイクル）を、個別にまたは同時に制御する。
【００２９】
＜扉開閉時の制御＞
つづいて、本実施例のワインセラー１における特徴的な動作、具体的には、扉開閉時の制御回路１１の動作について説明する。ここでは、一例として、図２に示すワインセラーを用いて説明する。なお、本実施例では、一例として、ワインセラー１の周辺温度を２５℃、保存室２の設定温度を５℃、として説明する。
【００３０】
本実施例では、上記に記載したように、ドアスイッチ２３を、ワインセラー１本体とガラス扉４の間に挟まれる位置に配置する構成とする。より詳細には、たとえば、ワインセラー１本体におけるガラス扉４との接触面側の所定位置にドアスイッチ２３を取り付け、ドアスイッチ２３の押しボタン部を押下可能なガラス扉４裏面側にドアスイッチプレート２３ａを取り付ける。図５は、ドアスイッチ２３の取り付け位置の一例を示す図である。本実施例では、ガラス扉４が閉まっている状態のときにドアスイッチプレート２３ａによりドアスイッチ２３が押下されＯＮ状態となり、ガラス扉４が開いている状態のときにはドアスイッチ２３とドアスイッチプレート２３ａが非接触となりＯＦＦ状態となる。
【００３１】
通常の動作において、制御回路１１は、ドアスイッチ２３の状態を確認し、扉開放に伴う保存室２内への外気流入を軽減するため制御を行う。ここで、通常の動作とは、保存室２内の温度が設定温度に保持されるように、制御回路１１が温度調整を行っているときの動作をいう。
【００３２】
たとえば、利用者によりガラス扉４が開けられ、ドアスイッチ２３のＯＦＦ状態を検出した場合、制御回路１１は、ファン２６が動作中かどうかを確認する。ファン２６が動作中の場合、制御回路１１は、ファン２６を停止させ、一方で、ファン２６が停止中の場合にはその状態を維持させる。これにより、保存室２内の空気の流出および保存室２内への外気の流入を軽減することができる。なお、ここでは、ファン２６を停止する場合について記載したが、これに限らず、たとえば、ファンの回転数を落とすように制御することとしてもよい。
【００３３】
そして、上記ドアスイッチ２３のＯＦＦ状態を検出後、たとえば、予め規定された待ち時間である３分が経過しかつ冷却サイクル動作中の場合、制御回路１１は、コンプレッサー３１を停止させる。これにより、ガラス扉４の開放時間が長時間にわたる場合においても、過度な水分を含む外気の流入を最小限に留めることができ、冷却器３６の霜増殖を抑制することができる。また、ワインセラー１本体の消費電力を抑制することもできる。なお、本実施例では、コンプレッサー３１停止までの待ち時間を一例として３分としているが、これに限るものではなく、実績に基づく固定値，適宜設定可能な値等、どのような時間であってもよい。
【００３４】
また、上記ドアスイッチ２３のＯＦＦ状態を検出後３分が経過する前にガラス扉４が閉じられドアスイッチ２３のＯＮ状態を検出した場合、制御回路１１は、ファン２６の動作をガラス扉４が開けられる前の元の状態に戻す。たとえば、ガラス扉４が開けられる前の動作が冷却サイクル動作中の場合には、ファン２６を再起動させることになる。
【００３５】
また、上記コンプレッサー３１停止（コンプ停止）後、ガラス扉４が閉じられ（ドアスイッチ２３のＯＮ状態検出）かつコンプ停止から５分（故障防止のために必要な時間の一例：コンプレッサーの仕様に基づく時間）以上が経過している場合、制御回路１１は、コンプレッサー３１およびファン２６を再起動させ、冷却サイクル動作を再開させる。一方で、上記コンプレッサー３１停止後、ガラス扉４が閉じられ（ドアスイッチ２３のＯＮ状態検出）かつコンプ停止から５分以内の場合、制御回路１１は、まず、ファン２６を再起動させ、コンプ停止から５分経過後にさらにコンプレッサー３１を再起動させ、冷却サイクル動作を再開させる。
【００３６】
図６は、扉開放時の保存室２内の温度変化の一例を示す図である。ここでは、上記同様にワインセラー１の周辺温度を２５℃，保存室２内の設定温度を５℃とし、かつ、ワインボトル無しの状態でガラス扉４を５分間にわたり９０度開放した場合の、保存室２内の温度変化を観測した。たとえば、冷却サイクル動作中に制御回路１１がドアスイッチ２３のＯＦＦ状態を検出してファン２６が停止された場合、保存室２内の温度は、５分間で2.6度上昇したことが確認できる（図６の実線参照）。一方、冷却サイクル動作中にガラス扉４が開けられてもファン２６を停止させなかった場合は、保存室２内の温度が５分間で8.7度も上昇した（図６の点線参照）。
【００３７】
なお、本実施例では、一例として、ドアスイッチ２３およびドアスイッチプレート２３ａを用いてガラス扉４の開閉を判断したが、これに限らず、制御回路１１がガラス扉４の開閉を判断できる手段であればどのような方法を用いてもよい。たとえば、ドアスイッチの代わりに、本体側とガラス扉４側のそれぞれに端子付きのプレート型マグネットを取り付け（マグネット式スイッチ）、ガラス扉４が閉まっている状態のときに端子同士が接触してＯＮ状態（たとえば、接地）となり、開いている状態のときには端子同士が非接触となりＯＦＦ状態（たとえば、オープン）となるようにしてもよい。
【００３８】
このように、本実施例のワインセラー１は、コンプレッサー３１を使用した冷却方式を採用し、ファン２６を用いて保存室２内の空気を循環させることにより保存室２内の温度調整を行うこととし、制御回路１１が、ドアスイッチ２３のＯＦＦ状態を検出した時点においてファン２６が動作中の場合にファン２６を停止させ、その後、ドアスイッチ２３のＯＦＦ状態を検出した時点から予め規定された待ち時間である３分が経過し、かつ冷却サイクル動作中の場合に、さらにコンプレッサー３１を停止させる。これにより、保存室２内の空気の流出および保存室２内への外気の流入を軽減することができる。また、ガラス扉４の開放時間が長時間にわたる場合においても、過度な水分を含む外気の流入を最小限に留めることができ、冷却器３６の霜増殖を抑制することができる。
【符号の説明】
【００３９】
１  ワインセラー
２  保存室
２ａ  上保存室
２ｂ  下保存室
３  中仕切りプレート
４  ガラス扉
５  操作パネル
６  収納庫
７  棚板
８  収納庫
９  奥パネル
１１  制御回路
２１，２１ａ，２１ｂ  ＬＥＤ
２２，２２ａ，２２ｂ  室内温度センサー
２３  ドアスイッチ
２３ａ  ドアスイッチプレート
２４，２４ａ，２４ｂ  霜取り温度センサー
２５，２５ａ，２５ｂ  加温ヒーター
２６，２６ａ，２６ｂ  ファン
３１  コンプレッサー（圧縮器）
３２  電磁弁（三方弁）
３３  コンデンサー（凝縮器）
３４  アキュムレータ
３５，３５ａ，３５ｂ  キャピラリーチューブ
３６，３６ａ，３６ｂ  冷却器
【図１−１】
0003211237.tif 000003
【図１−２】
0003211237.tif 000004
【図２−１】
0003211237.tif 000005
【図２−２】
0003211237.tif 000006
【図３−１】
0003211237.tif 000007
【図３−２】
0003211237.tif 000008
【図４−１】
0003211237.tif 000009
【図４−２】
0003211237.tif 000010
【図５】
0003211237.tif 000011
【図６】
0003211237.tif 000012